(57)【要約】バッテリ（１０）は、ケース（１７）と、外部環境情報取得部（１１ｂ）と、内部環境情報取得部（１１ａ）とを備える。ケース（１７）は、一つまたは複数のセル（１２）を収納する。外部環境情報取得部（１１ｂ）は、ケース（１７）の外部において、所定の外部環境情報（例えば、温度、日照など）を取得する。内部環境情報取得部（１１ａ）は、ケース（１７）の内部において、所定の内部環境情報（例えば、温度、湿度など）を取得する。
2016143400.tif 000002
【特許請求の範囲】
【請求項１】
一つまたは複数のセルを収納する外側ケースと、
前記外側ケースの外部において、所定の外部環境情報を取得する外部環境情報取得部と、
前記外側ケースの内部において、所定の内部環境情報を取得する内部環境情報取得部と、を備えたバッテリ。
【請求項２】
前記外部環境情報取得部と前記内部環境情報取得部が同種のセンサであることを特徴とする
請求項１に記載のバッテリ。
【請求項３】
前記外部環境情報取得部は、１又は複数の温度センサを有し、
前記所定の外部環境情報は、前記外側ケースの外部における温度であり、
前記内部環境情報取得部は、１又は複数の温度センサを有し、
前記所定の内部環境情報は、前記外側ケースの内部における温度である、
請求項２に記載のバッテリ。
【請求項４】
前記外部環境情報取得部と前記内部環境情報取得部が異種のセンサであることを特徴とする、
請求項１に記載のバッテリ。
【請求項５】
前記外部環境情報取得部は、１又は複数の日照センサを有し、
前記所定の外部環境情報は、前記外側ケースへの日照であり、
前記内部環境情報取得部は、１又は複数の温度センサを有し、
前記所定の内部環境情報は、前記外側ケースの内部における温度である、
請求項４に記載のバッテリ。
【請求項６】
前記内部環境情報取得部は、
前記セルから前記外側ケースの壁面までの間に配置された複数の内部環境情報取得センサを有する、
請求項１、２または４に記載のバッテリ。
【請求項７】
前記外側ケースの内部に配置され前記１つまたは複数のセルを囲むように形成されたセル格納ケースを更に備え、
前記複数の内部環境情報取得センサの少なくとも１つは、前記セル格納ケースの内部であって前記セルに近接して配置され、
前記複数の内部環境情報取得センサの少なくとも１つは、前記外側ケースの内部であって前記セル格納ケースの外部に配置されている、
請求項６に記載のバッテリ。
【請求項８】
前記外部環境情報取得部によって取得された前記所定の外部環境情報と、前記内部環境情報取得部によって取得された前記所定の内部環境情報を、前記バッテリの環境情報を分析する情報処理装置へ送信する通信部を更に備えた、
請求項１に記載のバッテリ。
【請求項９】
前記情報処理装置は、クラウドコンピューティングにおける仮想サーバである、
請求項８に記載のバッテリ。
【請求項１０】
請求項１〜９のいずれか１項に記載のバッテリと、
情報処理装置と、を備え、
前記情報処理装置は、
前記外部環境情報取得部から前記所定の外部環境情報を取得するとともに、前記内部環境情報取得部から前記所定の内部環境情報を取得するバッテリ環境情報取得部と、
前記バッテリ環境情報取得部が取得した前記所定の外部環境情報および前記所定の内部環境情報を用いて、前記バッテリの環境情報を分析する環境情報分析部と、を有する、
システム。
【請求項１１】
前記環境情報分析部は、
前記バッテリ環境情報取得部が取得した前記所定の外部環境情報および前記所定の内部環境情報を用いて、前記バッテリの損傷度を算出する損傷算出部を有する、
請求項１０に記載のシステム。
【請求項１２】
前記環境情報分析部は、
前記損傷算出部によって算出された前記損傷度に基づいて、前記バッテリの使用の可否を判定する使用可否判定部を更に有する、
請求項１１に記載のシステム。
【請求項１３】
前記環境情報分析部は、
前記バッテリ環境情報取得部が取得した前記所定の外部環境情報および前記所定の内部環境情報を用いて、前記バッテリの使用状態を判定する使用状態判定部を有する、
請求項１０に記載のシステム。
【請求項１４】
前記外部環境情報取得部は、温度センサを有し、
前記所定の外部環境情報は、前記外側ケースの外部における温度であり、
前記内部環境情報取得部は、前記セルから前記外側ケースの壁面の間に配置された１つまたは複数の温度センサを有し、
前記所定の内部環境情報は、前記外側ケースの内部における温度であり、
前記環境情報分析部は、前記外部環境情報取得部が有する温度センサおよび前記内部環境情報取得部が有する温度センサの検出値に基づいて、前記セルの温度を推定する、
請求項１０に記載のシステム。
【請求項１５】
バッテリの外側ケースの外部において、所定の外部環境情報を取得する外部環境情報取得部と、
前記外側ケースの内部において、所定の内部環境情報を取得する内部環境情報取得部と、
前記所定の外部環境情報および前記所定の内部環境情報を用いて、前記バッテリの損傷度を算出する損傷算出部と、
を備えた、バッテリ損傷度算出装置。
【請求項１６】
１つまたは複数のセルを収納する外側ケースを備えたバッテリを管理するバッテリ管理方法であって、
前記外側ケースの外部における所定の外部環境情報および内部における所定の内部環境情報を取得する環境情報取得ステップと、
前記環境情報取得ステップにおいて取得された前記所定の外部環境情報および前記所定の内部環境情報を用いて、前記バッテリの環境情報を分析する環境情報分析ステップと、を備えた、
バッテリ管理方法。
【請求項１７】
前記環境情報分析ステップは、
前記環境情報取得ステップにおいて取得した前記所定の外部環境情報および前記所定の内部環境情報を用いて、前記バッテリの損傷度を算出する損傷度算出ステップと、
前記損傷度算出ステップによって算出された前記損傷度に基づいて、前記バッテリの使用の可否を判定する使用可否判定ステップと、を有する、
請求項１６に記載のバッテリ管理方法。
【請求項１８】
前記環境情報分析ステップは、
前記環境情報取得ステップにおいて取得された前記所定の外部環境情報および前記所定の内部環境情報を用いて、前記バッテリの使用状態を判定する使用状態判定ステップを有する、
請求項１６に記載のバッテリ管理方法。
【請求項１９】
前記所定の外部環境情報は、前記外側ケースの外部の温度であり、
前記所定の内部環境情報は、前記外側ケースの内部の温度であり、
前記環境情報分析ステップは、
前記環境情報取得ステップにおいて取得した前記外側ケースの外部の温度、および、前記外側ケースの内部の温度を用いて、前記セルの内部の温度を推定するセル内温度推定ステップと、
前記セル内温度推定ステップにおいて推定した前記セルの内部の温度の推定結果から、前記バッテリの損傷度を算出する損傷度算出ステップと、を有する、
請求項１６に記載のバッテリ管理方法。
【請求項２０】
１つまたは複数のセルを収納する外側ケースを備えたバッテリを管理するバッテリ管理方法プログラムであって、
バッテリの外部における所定の外部環境情報および内部における所定の内部環境情報を取得する環境情報取得ステップと、
前記環境情報取得ステップにおいて取得された前記所定の外部環境情報および前記所定の内部環境情報を用いて、前記バッテリの環境情報を分析する環境情報分析ステップと、を備えた、バッテリ管理方法をコンピュータに実行させるバッテリ管理プログラム。
【請求項２１】
請求項２０に記載のバッテリ管理プログラムを記録した記録媒体であって、コンピュータにより処理可能な記録媒体。
【請求項２２】
複数のバッテリを貸し出し可能なシステムにおいて、単体で持ち運びされるバッテリであって、
一つまたは複数のセルを収納する外側ケースと、
前記外側ケースの外部において、所定の外部環境情報を取得す
る外部環境情報取得部と、を備えた、バッテリ。
【請求項２３】
前記外部環境情報取得部によって取得された前記所定の外部環境情報を、前記バッテリの環境情報を分析する情報処理装置へ送信する通信部を更に備えた、
請求項２２に記載のバッテリ。
【請求項２４】
前記情報処理装置は、クラウドコンピューティングにおける仮想サーバである、
請求項２３に記載のバッテリ。
【請求項２５】
前記外部環境情報取得部によって取得された前記所定の外部環境情報を記憶する記憶部を更に備えた、
請求項２２に記載のバッテリ。
【請求項２６】
前記外部環境情報取得部は、温度センサ、湿度センサ、日照センサ、照度センサ、画像センサ、ガスセンサ、音波センサ、磁気センサ、電波センサ、および水没センサのうち少なくとも１つを有する、請求項２２に記載のバッテリ。
【発明の詳細な説明】
【技術分野】
【０００１】
本発明は、バッテリ、システム、バッテリ損傷度算出装置、バッテリ管理方法、バッテリ管理プログラム、および記録媒体に関し、例えば、単体で持ち運びされるバッテリバッテリに関する。
【背景技術】
【０００２】
従来、バッテリ（いわゆる二次電池）は、電気自動車の電力供給源として使用されている。バッテリの例として、特許文献１および２に記載されているバッテリーパックが挙げられる。
近年では、電気自動車のユーザに複数のバッテリを貸し出すシステムが登場してきている。前記システムは、システムの利用者にバッテリを貸し出し、利用者から使用済のバッテリが返却されたとき、返却されたバッテリと、充電済みの他のバッテリとを交換（スワップ）する。そのため、前記システムは、バッテリスワップシステムと呼ばれている。
【先行技術文献】
【特許文献】
【０００３】
【特許文献１】特開２０１３−１９３７３８号公報（２０１３年９月３０日公開）
【特許文献２】特開２０１３−２２３４２３号公報（２０１３年１０月２８日公開）
【発明の概要】
【０００４】
バッテリの外側ケース内には、バッテリセルや電子回路などの精密部品が収容されている。このような精密部品に対する負荷（例えば、熱、湿気、電流）は、バッテリが損傷する要因となる。
そのため、電気自動車等に据え付けられているバッテリでは、バッテリの内部環境情報を取得するための各種検出部（例えば、温度センサ、湿度センサ、電流センサ）を配置し、バッテリの状態を検出することが考えられる。
【０００５】
一方、上述したように、前記バッテリスワップシステムでは、バッテリは、電気自動車から取り外され、システムの利用者によって持ち運びされる。
そのため、貸し出されている間におけるバッテリの環境を把握できず、再度貸し出し可能かを判断できない場合があり、バッテリを適切に管理することができないという問題がある。
本発明は、前記の課題に鑑みてなされたものであり、その目的は、バッテリを適切に管理することにある。
【０００６】
（課題を解決するための手段）
前記の課題を解決するために、第１の発明に係るバッテリは、外側ケースと、外部環境情報取得部と、内部環境情報取得部とを備える。外側ケースは、一つまたは複数のセルを収納する。外部環境情報取得部は、外側ケースの外部において、所定の外部環境情報を取得する。内部環境情報取得部は、外側ケースの内部において、所定の内部環境情報を取得する。
【０００７】
このような構成によれば、バッテリに対する内部環境からの負荷に関する情報として、外側ケースの内部における環境情報を取得することができる。また、バッテリに対する外部環境からの負荷に関する情報として、バッテリの外側ケースが、外部環境に露出した際に、外側ケースの外部における環境情報を取得することができる。取得された環境情報に基づいて、例えば、バッテリの損傷度や使用状態を判定することができ、バッテリの状態を精度良く把握し、バッテリを適切に管理することができる。
【０００８】
第２の発明に係るバッテリは、第１の発明に係るバッテリであって、外部環境情報取得部と内部環境情報取得部が同種のセンサである。
このような構成により、同じ種類の環境因子による外側ケースの外部と内部における環境の変化と検出でき、外部環境が内部環境に与える影響を把握できる。
第３の発明に係るバッテリは、第２の発明に係るバッテリであって、外部環境情報取得部は、１又は複数の温度センサを有し、内部環境情報取得部は、１又は複数の温度センサを有する。所定の外部環境情報は、外側ケースの外部における温度であり、所定の内部環境情報は、外側ケースの内部における温度である。
このような構成によれば、外側ケースの内部における温度と、外側ケースの外部における温度とを用いて、温度負荷（熱）を要因とするバッテリの損傷度や使用状態を高精度に判定することができる。
【０００９】
第４の発明に係るバッテリは、第１の発明に係るバッテリであって、外部環境情報取得部と内部環境情報取得部が異種のセンサである。
このような構成により、異なる種類の環境因子による外部と内部における環境情報を取得できる。
【００１０】
第５の発明に係るバッテリは、第４の発明に係るバッテリであって、外部環境情報取得部は、１又は複数の日照センサを有し、内部環境情報取得部は、１又は複数の温度センサを有する。所定の外部環境情報は、外側ケースへの日照であり、所定の内部環境情報は、外側ケースの内部における温度である。
【００１１】
このような構成によれば、外側ケースの内部の温度が上昇した場合に、温度上昇が「使用者によって日向に置かれたことが原因」なのか、「気温上昇が原因」なのかといったことを日照センサによって判断できる。
このため、温度上昇が使用者の使用によるものである場合、使用者に警告を通告できる。
【００１２】
第６の発明に係るバッテリは、第１、２または４の発明に係るバッテリであって、内部環境情報取得部は、セルから外側ケースの壁面までの間に配置された複数の内部環境情報取得センサを有する。
このような構成によれば、セルから外側ケースの壁面までの間の内部環境をより精度良く検出できる。また、セルの温度を精度良く推定することができる。
【００１３】
第７の発明に係るバッテリは、第６の発明に係るバッテリであって、外側ケースの内部に配置され１つまたは複数のセルを囲むように形成されたセル格納ケースを更に備える。複数の内部環境情報取得センサの少なくとも１つは、セル格納ケースの内部であってセルに近接して配置され、複数の内部環境情報取得センサの少なくとも１つは、外側ケースの内部であってセル格納ケースの外部に配置されている。
このような構成によれば、外側ケースの内部であってセル格納ケースの内部および外部の環境を精度良く検出できる。
【００１４】
第８の発明に係るバッテリは、第１の発明に係るバッテリであって、外部環境情報取得部によって取得された所定の外部環境情報と、内部環境情報取得部によって取得された所定の内部環境情報を、バッテリの環境情報を分析する情報処理装置へ送信する通信部を更に備える。
【００１５】
このように通信部を備えていることにより、バッテリが貸し出されている間におけるバッテリの内部環境情報と外部環境情報をリアルタイムで情報処理装置へ送信することができ、バッテリの損傷度や使用状態を判定できる。
【００１６】
第９の発明に係るバッテリは、第８の発明に係るバッテリであって、情報処理装置は、クラウドコンピューティングにおける仮想サーバである。
情報処理装置がクラウドコンピューティング上の仮想サーバとして設けられており、通信部はクラウドコンピューティングシステムに送信してもよい。使用者は、クラウドコンピューティングシステムにアクセスすることにより、分析結果を得ることができる。
第１０の発明に係るシステムは、第１〜第９の発明に係るバッテリと、情報処理装置と、を備えている。情報処理装置は、バッテリ環境情報取得部と、環境情報分析部と、を有する。バッテリ環境情報取得部は、外部環境情報取得部から所定の外部環境情報を取得するとともに、内部環境情報取得部から所定の内部環境情報を取得する。環境情報分析部は、バッテリ環境情報取得部が取得した所定の外部環境情報および所定の内部環境情報を用いて、バッテリの環境情報を分析する。
【００１７】
このような構成によれば、バッテリが貸し出されている間のバッテリの環境情報が分かるため、損傷度や使用状態を判断でき、バッテリスワップシステムにおいて、バッテリの状態を精度良く把握し、バッテリを適切に管理することができる。
また、バッテリが通信部を有し、情報処理装置がクラウドコンピューティングシステムとして設けられており、通信部はクラウドコンピューティングシステムに送信してもよい。使用者は、クラウドコンピューティングシステムにアクセスすることにより、分析結果を得ることができる。
【００１８】
第１１の発明に係るシステムは、第１０の発明に係るシステムであって、環境情報分析部は、バッテリ環境情報取得部が取得した所定の外部環境情報および所定の内部環境情報を用いて、バッテリの損傷度を算出する損傷算出部を有する。
このような構成によれば、外側ケースの内部および外部における各環境情報を用いて、バッテリの損傷度を高精度に判定することができる。
これにより、バッテリの損傷度を算出することが出来、損傷度に基づいて、バッテリに対して点検、修理、破棄などの判断を行うことが出来る。
【００１９】
第１２の発明に係るシステムは、第１１の発明に係るシステムであって、環境情報分析部は、損傷算出部によって算出された損傷度に基づいて、バッテリの使用の可否を判定する使用可否判定部を更に有する。
このような構成によれば、損傷度に基づいてバッテリの使用の判断を自動で行うことができる。
【００２０】
第１３の発明に係るシステムは、第１１の発明に係るシステムであって、環境情報分析部は、バッテリ環境情報取得部が取得した所定の外部環境情報および所定の内部環境情報を用いて、バッテリの使用状態を判定する使用状態判定部を有する。
このような構成によれば、バッテリを貸し出している間のバッテリの使用状態を分析することが出来る。すなわち、貸出人のバッテリの取り扱いを判定することができ、該当する貸出人に注意喚起を行うことが可能となる。
【００２１】
第１４の発明に係るシステムは、第１１の発明に係るシステムであって、外部環境情報取得部は、温度センサを有し、所定の外部環境情報は、外側ケースの外部における温度である。内部環境情報取得部は、セルから外側ケースの壁面の間に配置された１つまたは複数の温度センサを有し、所定の内部環境情報は、外側ケースの内部における温度である。環境情報分析部は、外部環境情報取得部が有する温度センサおよび内部環境情報取得部が有する温度センサの検出値に基づいて、セルの温度を推定する。
このような構成によれば、外側ケースの外部の温度センサと、外側ケースの内部の温度センサに基づいて、セルの温度を精度良く推定することができる。このため、セルの損傷ヂや使用状態を正確に判定することができる。
【００２２】
第１５の発明に係るバッテリ損傷度算出装置は、外部環境情報取得部と、内部環境情報取得部と、損傷算出部と、を備えている。外部環境情報取得部は、バッテリの外側ケースの外部において、所定の外部環境情報を取得する。内部環境情報取得部は、外側ケースの内部において、所定の内部環境情報を取得する。損傷算出部は、所定の外部環境情報および所定の内部環境情報を用いて、バッテリの損傷度を算出する。
このような構成によれば、外側ケースの内部および外部における各環境情報を用いて、バッテリの損傷度を高精度に判定することができる。
【００２３】
第１６の発明に係るバッテリ管理方法は、１つまたは複数のセルを収納する外側ケースを備えたバッテリを管理するバッテリ管理方法であって、環境情報取得ステップと、環境情報分析ステップと、を備えている、環境情報取得ステップは、外側ケースの外部における所定の外部環境情報および内部における所定の内部環境情報を取得する。環境情報分析ステップは、環境情報取得ステップにおいて取得された所定の外部環境情報および所定の内部環境情報を用いて、バッテリの環境情報を分析する。
【００２４】
このような構成によれば、バッテリに対する内部環境からの負荷に関する情報として、外側ケースの内部における環境情報を取得することができる。また、バッテリに対する外部環境からの負荷に関する情報として、バッテリの外側ケースが、外部環境に露出した際に、外側ケースの外部における環境情報を取得することができる。取得された環境情報は、例えば、バッテリの損傷度や使用状態を判定することができ、バッテリを適切に管理することができる。
【００２５】
第１７の発明に係るバッテリ管理方法は、第１６の発明に係るバッテリ管理方法であって、損傷度算出ステップと、使用可否判定ステップと、を有する。損傷度算出ステップは、環境情報取得ステップにおいて取得した所定の外部環境情報および所定の内部環境情報を用いて、バッテリの損傷度を算出する。使用可否判定ステップは、損傷度算出ステップによって算出された損傷度に基づいて、バッテリの使用の可否を判定する。
このような構成によれば、外側ケースの内部および外部における各環境情報を用いて、バッテリの損傷度を高精度に判定することができる。
【００２６】
第１８の発明に係るバッテリ管理方法は、第１６の発明に係るバッテリ管理方法であって、環境情報分析ステップは、環境情報取得ステップにおいて取得された所定の外部環境情報および所定の内部環境情報を用いて、バッテリの使用状態を判定する使用状態判定ステップを有する。
これにより、バッテリを貸し出している間のバッテリの使用状態を分析することが出来。すなわち、貸出人のバッテリの取り扱いなどを判定することができ、取り扱いの乱暴な貸出人に注意喚起を行うことが可能となる。
【００２７】
第１９の発明に係るバッテリ管理方法は、第１６の発明に係るバッテリ管理方法であって、所定の外部環境情報は、外側ケースの外部の温度であり、所定の内部環境情報は、外側ケースの内部の温度である。環境情報分析ステップは、セル内温度推定ステップと、損傷度算出ステップと、を有する。セル内温度推定ステップは、環境情報取得ステップにおいて取得した外側ケースの外部の温度、および、外側ケースの内部の温度を用いて、セルの内部の温度を推定する。損傷度算出ステップは、セル内温度推定ステップにおいて推定したセルの内部の温度の推定結果から、バッテリの損傷度を算出する。
これによれば、外側ケースの内部および外部における各環境情報を用いて、バッテリの損傷度や使用状態を高精度に判定することができる。
【００２８】
第２０の発明に係るバッテリ管理プログラムは、１つまたは複数のセルを収納する外側ケースを備えたバッテリを管理するバッテリ管理プログラムであって、環境情報取得ステップと、環境情報分析ステップと、を備えた、バッテリ管理方法をコンピュータに実行させる。環境情報取得ステップは、外側ケースの外部における所定の外部環境情報および内部における所定の内部環境情報を取得する。環境情報分析ステップは、環境情報取得ステップにおいて取得された前記所定の外部環境情報および前記所定の内部環境情報を用いて、バッテリの環境情報を分析する。
【００２９】
これによれば、外側ケースの内部および外部における各環境情報を用いて、バッテリの損傷度や使用状態を高精度に判定することができる
なお、プログラムの一利用形態は、インターネット等の伝送媒体、光・電波・音波等の伝送媒体中を伝送し、コンピュータにより読みとられ、コンピュータと協働して動作する態様であってもよい。また、プログラムは、クラウドコンピューティングシステムのサーバに設けられていてもよい。
【００３０】
第２１の発明に係る記録媒体は、第２０の発明に係るバッテリ管理プログラムを記録した記録媒体であって、コンピュータにより処理可能である。
このように、プログラムの一利用形態として、ＲＯＭ等の記録媒体に記録された態様としてもよい。
第２２の発明に係るバッテリは、複数のバッテリを貸し出し可能なシステムにおいて、単体で持ち運びされるバッテリであって、外側ケースと、外部環境情報取得部と、を備える。外側ケースは、一つまたは複数のセルを収納する。外部環境情報取得部は、外側ケースの外部において、所定の外部環境情報を取得する。
このような構成により、貸し出し中におけるバッテリの外側ケースの外部環境情報を取得することが出来る。このため、貸し出し中におけるバッテリの損傷度や使用状態を精度良く判定できる。
【００３１】
第２３の発明に係るバッテリは、第２２の発明に係るバッテリであって、外部環境情報取得部によって取得された所定の外部環境情報を、バッテリの環境情報を分析する情報処理装置へ送信する通信部を更に備える。
このように通信部を備えていることにより、バッテリが貸し出されている間におけるバッテリの外部環境情報をリアルタイムで情報処理装置へ送信することができ、バッテリの損傷度や使用状態を判定できる。
【００３２】
第２４の発明に係るバッテリは、第２３の発明に係るバッテリであって、情報処理装置は、クラウドコンピューティングにおける仮想サーバである。
このように情報処理装置がクラウドコンピューティング上の仮想サーバとして設けられており、通信部はクラウドコンピューティングシステムに送信してもよい。使用者は、クラウドコンピューティングシステムにアクセスすることにより、分析結果を得ることができる。
【００３３】
第２５の発明に係るバッテリは、第２２の発明に係るバッテリであって、外部環境情報取得部によって取得された所定の外部環境情報を記憶する記憶部を更に備える。
これにより、バッテリが貸し出されている間におけるバッテリの外部環境情報を記録することができる。このため、バッテリをバッテリ管理装置に返却した際に、バッテリに記憶されている外部環境情報を用いてバッテリの損傷度や使用状態を判定できる。
【００３４】
第２６の発明に係るバッテリは、第２２の発明に係るバッテリであって、外部環境情報取得部は、温度センサ、湿度センサ、日照センサ、照度センサ、画像センサ、ガスセンサ、音波センサ、磁気センサ、電波センサ、および水没センサのうち少なくとも１つを有する。
【００３５】
温度センサによれば、外側ケースの外側の温度を測定することができる。湿度センサによれば、外側ケースの外側の湿度を測定することができる。日照センサおよび照度センサによれば、外側ケースに照射される日光などを検出することができる。これにより、バッテリが日向に載置されていたこと等を判定することができる。画像センサによれば、外側ケースの外部の画像を検出することが出来る。画像センサによれば、例えば埃などの異物が浮遊している環境下に載置されていたこと等を検知することができる。ガスセンサによれば、外側ケースにおける浮遊ガスを検知でき、貸し出し中にバッテリが配置されていた環境を検出できる。音波センサによれば、貸し出し中にバッテリが配置されていた環境を検出できる。磁気センサおよび電波センサによれば、バッテリの近傍に電磁波を発生する装置が配置されていたことなどを検出することが出来る。水没センサによれば、外側ケースが水に濡れたことを検出することが出来る。
（発明の効果）
本発明によれば、バッテリを適切に管理することができる。
【図面の簡単な説明】
【００３６】
【図１】一実施形態（実施の形態１）に係るバッテリスワップシステムの構成を示すブロック図である    。
【図２Ａ】一実施形態に係るバッテリスワップシステムが備えたバッテリのケース内に    おけるセンサの配置例を示す図である。
【図２Ｂ】一実施形態に係るバッテリスワップシステムが備えたバッテリのケース内におけるセンサの配置例を示す図である。
【図２Ｃ】一実施形態に係るバッテリスワップシステムが備えたバッテリのケース内におけるセンサの配置例を示す図である。
【図２Ｄ】一実施形態に係るバッテリスワップシステムが備えたバッテリのケース内におけるセンサの配置例を示す図である。
【図３】（ａ）（ｂ）は、一実施形態に係るバッテリスワップシステムが備えたバッ    テリの損傷要因の例を示す。
【図４】（ａ）（ｂ）は、一実施形態に係るバッテリスワップシステムが備えたバッ    テリの損傷要因の他の例を示す。
【図５】（ａ）（ｂ）は、一実施形態に係るバッテリスワップシステムが備えたバッ    テリの損傷要因のさらに他の例を示す。
【図６】一実施形態（実施の形態１）に係るバッテリスワップシステムが備えた制御部によって実行される使用可否判定処理の流れを示すフローチャートである。
【図７】一実施形態に係るバッテリスワップシステムが備えた温度負荷損傷算出部に    よるセル内温度の推定結果の一例を示す図である。
【図８】一実施形態に係るバッテリスワップシステムが備えた物理負荷情報取得部に    よって取得される検出値の一例を示す図である。
【図９】一実施形態に係るバッテリスワップシステムが備えたバッテリの加速度と損傷度との関係を示す実験データをプロットしたグラフである。
【図１０】一実施形態（実施の形態２）に係るバッテリスワップシステムの構成を示すブロック図である。
【図１１】一実施形態（実施の形態２）に係るバッテリスワップシステムが備えた制御部によって実行される使用状態判定処理の流れを示すフローチャートである。
【図１２】本実施の形態の変形例におけるバッテリスワッピングシステムの構成を示すブロック図である。
【図１３】本実施の形態の変形例におけるバッテリスワッピングシステムの構成を示すブロック図である。
【図１４】本実施の形態の変形例におけるバッテリスワッピングシステムの構成を示すブロック図である。
【図１５】本実施の形態の変形例におけるバッテリスワッピングシステムの構成を示すブロック図である。
【発明を実施するための形態】
【００３７】
以下、本発明の実施の形態について、詳細に説明する。
（バッテリスワップシステム１）
（実施の形態１）
図１は、本実施の形態１に係るバッテリスワップシステム１（以下では、システム１と略称する）の構成を示すブロック図である。図１に示すように、システム１は、バッテリ１０およびバッテリ管理装置２０を含んでいる。図１には、１つのバッテリ１０のみが示されているが、システム１は、実際には複数のバッテリ１０を含んでいる。
【００３８】
システム１は、システム１の利用者に対して、複数のバッテリ１０を貸し出す。複数のバッテリ１０は、システム１の利用者に貸し出された後、電気自動車等の車両に搭載されて、車両への電力供給源として使用される。その後、バッテリ１０は、システム１のステーションに返却される。返却されたバッテリ１０は、ステーションで充電された後、システム１の利用者に再び貸し出される。
【００３９】
なお、図示しないが、システム１は、各種センサ（例えば、電流センサ、電力センサ、電圧センサ、温度センサ）を用いて、セル１２（蓄電部）の情報を取得する蓄電部情報取得部をさらに備えていてもよい。また、各種センサ（例えば、電流センサ、電力センサ、電圧センサ）を用いて、電力使用負荷に関する情報を取得する使用負荷情報取得部をさらに備えていてもよい。
【００４０】
（バッテリ１０）
図１に示すように、バッテリ１０は、損傷要因情報取得部１１（検出部）、セル１２、情報出力部１３、情報蓄積部１４、記憶部１５、セル格納ケース１８およびＣＰＵ１６を備えている。バッテリ１０の各部（詳細には、損傷要因情報取得部１１の外部環境情報取得部１１ｂを除く）は、ケース１７（外側ケース）（図２参照）に収容されている。
【００４１】
図２Ａは、バッテリ１０の構成を示す図であり、後述する各種センサの配置例を示す図である。図２Ａに示すように、複数のセル１２がケース１７内に互いに近接して配置されている。これらのセル１２は、ケース１７の内側に配置されているセル格納ケース１８によって囲まれている。ＣＰＵ１６は、ケース１７の内側であってセル格納ケース１８の外側に配置されている。また、セル１２は、９個配置されており、縦横に３個ずつ直線上に並んで配置されている。ＣＰＵ１６は、電子基板１６ａに配置されており、電子基板１６ａは、電子基板格納ケース１９によって囲まれている。
なお、セル格納ケース１８および電子基板格納ケース１９は、格納している部品に対する保護および防水の機能を有する。
【００４２】
（損傷要因情報取得部１１）
損傷要因情報取得部１１は、バッテリ１０の損傷要因に関する情報である損傷要因情報を取得する。損傷要因には、物理負荷、電子負荷、および熱負荷の他、湿気などが含まれる。損傷要因の例を後述する。損傷要因情報取得部１１が取得した損傷要因情報は、情報蓄積部１４に出力される。
【００４３】
図１に示すように、損傷要因情報取得部１１は、内部環境情報取得部１１ａ、外部環境情報取得部１１ｂ、および物理負荷情報取得部１１ｃ（物理負荷検出部）を含んでいる。
図２Ａ〜図２Ｄに、バッテリ１０のケース１７内における損傷要因情報取得部１１（内部環境情報取得部１１ａ、外部環境情報取得部１１ｂ、物理負荷情報取得部１１ｃ）の配置例を示す。
【００４４】
（内部環境情報取得部１１ａ）
内部環境情報取得部１１ａは、損傷要因情報として、バッテリ１０のケース１７内における環境である内部環境の情報を取得する。
図１および図２Ａに示すように、内部環境情報取得部１１ａは、内部環境取得センサとして例えば、ケース内温度センサ３０、セル外温度センサ３１、水没センサ３２、および電磁波センサ３３を備えている。ケース内温度センサ３０はケース１７内の温度を検出し、セル外温度センサ３１はセル１２外の温度を検出し、水没センサ３２はバッテリ１０が水没したか否かを示す情報を検出する。内部環境情報取得部１１ａが取得する内部環境情報には、ケース内温度センサ３０、セル外温度センサ３１、水没センサ３２、および電磁波センサ３３による各検出値（検出結果）が含まれる。
【００４５】
なお、内部環境情報取得部１１ａは、上述した複数の種類のセンサの全てを含んでいなくてもよく、いずれか一つの種類のセンサを備えていればよい。
図２Ａに示すように、内部環境情報取得部１１ａが備えたケース内温度センサ３０は、矩形を有するケース１７の内側の四隅に配置されており、セル外温度センサ３１は、各セル１２の近傍にそれぞれ配置されている。また、セル外温度センサ３１は、複数のセル１２を囲むセル格納ケース１８の内側に複数個配置されている。
【００４６】
水没センサ３２としては、例えば、水が付着した際の抵抗値の変化を読み取る水分検知センサを用いることが出来る。また、水没センサ３２として、水没検知シールの色を画像センサによって検出することにより、水没を検出してもよい。水没センサ３２は、セル格納ケース１８の内側にセル１２とともに配置されている。なお、水没センサ３２は、図２Ａに示すように、ケース１７の内側であってセル格納ケース１８の外側に配置されていてもよい。更に水没センサ３２は、電子基板格納ケース１９の内側に配置されていてもよい。これにより、どの位置まで水が浸入したかを判断できる。
【００４７】
電磁波センサ３３は、電磁波を検出し、例えばバッテリ１０に電磁波を発生する機器が近づけられたことを検出することが出来る。電磁波センサ３３は、図２Ａに示すように、ケース１７の内側であってＣＰＵ１６の近傍に配置されていてもよい。電磁波センサ３３をＣＰＵ１６の近傍に配置することにより、ＣＰＵ１６に与える影響を検出することができる。
【００４８】
また、図１に示すように、内部環境情報取得部１１ａは、湿度センサ３４、画像センサ３５、ガスセンサ３６、音波センサ３７、磁気センサ３８、および電波センサ３９のうち、少なくともいずれか１つをさらに備えていてもよい。図２Ｂは、これらのセンサの配置の一例を示す図である。
湿度センサ３４は、図２Ｂに示すように、セル格納ケース１８の内側またはセル格納ケース１８の外側であってケース１７の内側に配置されていてもよい。湿度センサ３４は、ケース１７の内部の湿度を検出する。湿度センサ３４は、セル格納ケース１８の内側に収納されていてもよい。湿度センサ３４により、水濡れの検出も可能である。
【００４９】
画像センサ３５は、例えば、図２Ｂに示すように、ケース１７の内側面に配置してもよい。画像センサ３５により、例えば埃などの異物の侵入などを検知することができる。
ガスセンサ３６は、例えば図２Ｂに示すように、ケース１７の内側であって、セル格納ケース１８の内側または外側に配置されていてもよい。ガスセンサ３６によって、ケース１７の内部へのガスの侵入を検知でき、貸し出し中にバッテリ１０が配置されていた環境を検出できる。音波センサ３７は、図２Ｂに示すようにケース１７の内側に配置されていてもよい。磁気センサ３８および電波センサ３９は、図２Ｂに示すように、ケース１７の内側であってＣＰＵ１６の近傍に配置されていてもよい。磁気センサ３８および電波センサ３９をＣＰＵ１６の近傍に配置することにより、ＣＰＵ１６に与える影響を検出することができる。
【００５０】
なお、内部環境情報取得部１１ａが、上記複数種類のセンサを備えている場合には、内部環境情報取得部１１ａが取得する内部環境情報には、湿度センサ３４、画像センサ３５、ガスセンサ３６、音波センサ３７、磁気センサ３８および、電波センサ３９による各検出値（検出結果）が含まれる。
なお、後述する物理負荷情報取得部１１ｃの振動センサ５１は、内部環境情報取得部１１ａが有していてもよい。
また、図１、図２Ａおよび図２Ｂで説明した各々のセンサの位置および数は限定されるものではない。
【００５１】
（外部環境情報取得部１１ｂ）
外部環境情報取得部１１ｂは、損傷要因情報として、バッテリ１０のケース１７外における環境である外部環境の情報を取得する。
【００５２】
図１に示すように、外部環境情報取得部１１ｂは、外部環境取得センサとして例えば、ケース外温度センサ４０および日照センサ４１を備えている。外部環境情報には、ケース外温度センサ４０および日照センサ４１による各検出値が含まれる。
なお、外部環境情報取得部１１ｂは、上述した２つの種類のセンサの双方を含んでいなくてもよく、いずれか一方のみを含んでいてもよい。
【００５３】
図２Ａに示すように、外部環境情報取得部１１ｂのケース外温度センサ４０および日照センサ４１は、矩形を有するケース１７の外側の四隅に配置されている。ケース外温度センサ４０により、ケース１７の外側の温度を測定できる。詳しくは、後述するが、ケース内温度センサ３０およびセル外温度センサ３１による検出値に基づいてセル１２の温度を精度良く検出できる。
【００５４】
日照センサ４１は、バッテリ１０に対して日が当たっている時間などを検出し、例えば、使用者によってバッテリ１０が日向に放置されていたことなどを検出できる。
なお、外部環境情報取得部１１ｂは、照度センサ４２、画像センサ４３、ガスセンサ４４、音波センサ４５、磁気センサ４６、電波センサ４７、および水没センサ４８および湿度センサ４９のうち、少なくともいずれか１つを備えていてもよい。
【００５５】
照度センサ４２は、図２Ｃに示すように、例えばケース１７の外側面に配置されており、バッテリ１０に照射された光の明るさを検出できる。画像センサ４３は、図２Ｃに示すように、例えばケース１７の外側面に配置されており、バッテリ１０の配置されている環境を画像として検出できる。画像センサ４３によれば、例えば埃などの異物が浮遊している環境下に載置されていたこと等を検知することができる。ガスセンサ４４は、図２Ｃに示すように、例えばケース１７の外側面に配置されており、貸し出し中にバッテリ１０が配置されていた環境を検出できる。音波センサ４５は、図２Ｃに示すように、例えばケース１７の外側面に配置されており、音波を検出できる。磁気センサ４６および電波センサ４７は、ケース１７の外側面であって、ＣＰＵ１６の近傍に配置されていてもよい。磁気センサ４６および電波センサ４７をＣＰＵ１６の近傍に配置することにより、ＣＰＵ１６に与える影響を検出することができる。
【００５６】
水没センサ４８は、ケース１７の外側に設けられており、上述した水没センサ３２と同様に、水分検知センサを用いて水没を検出してもよいし、水没検知シールの色を画像センサによって検出することにより、水没を検出してもよい。水没センサ４８によれば、ケース１７が水に濡れたことを検出することが出来る。
湿度センサ４９は、ケース１７の外側に設けられており、バッテリ１０の外部の湿度を検出する。
【００５７】
なお、図２Ｃでは、照度センサ４２、画像センサ４３、ガスセンサ４４、音波センサ４５、磁気センサ４６、電波センサ４７、水没センサ４８、および湿度センサ４９は、各々一つずつしか配置されていないが、図２Ａのケース外温度センサ４０および湿度センサ４９のようにケース１７の周囲に複数個配置されているほうが好ましい。例えば、日照センサ４２の場合、どの面から日が当たっていても検出できるように全ての面に設けられているほうが好ましい。
【００５８】
なお、バッテリ１０は、ケース１７の内部において、所定の環境情報を取得する少なくとも１つの内部環境情報取得部１１ａと、ケース１７の外部において、対応する（同じ）環境情報を取得する少なくとも１つの外部環境情報取得部１１ｂと、を備えていてもよい。図２Ａでは、内部環境情報取得部１１ａのケース内温度センサ３０は、所定の環境情報として、ケース１７の内部における温度を検出し、外部環境情報取得部１１ｂのケース外温度センサ４０は、対応する環境情報として、ケース１７の外部における温度を検出する。
【００５９】
ケース１７の内部において取得された所定の環境情報、および、ケース１７の外部において取得された対応する環境情報は、バッテリ１０の損傷度を算出するために使用される。例えば、ケース１７内の温度（所定の環境情報）およびケース１７外の温度（対応する環境情報）から、セル１２内の温度が推定される（図７参照）。推定されたセル１２内の温度から、温度負荷に基づくバッテリ１０の損傷度が算出される。
【００６０】
なお、ケース内温度センサ３０は、セル１２からケース１７の壁面１７ａまでの間に複数配置されている。詳細には、ケース内温度センサ３０は、セル格納ケース１８内とケース１７の内側の四隅に配置されている。これにより、セル１２から外部に向かっての温度変化を検出することが出来、セル１２内の温度をより正確に推定できる。
所定の環境情報および対応する環境情報は、温度に限定されない。例えば、所定の環境情報および対応する環境情報は、湿度であってもよいし、バッテリ１０が水没したか否かであってもよい。
【００６１】
また、内部環境情報取得部１１ａによって取得される所定の環境情報（所定の内部環境情報）と、外部環境情報取得部１１ｂによって取得される所定の環境情報（所定の外部環境情報）は、同じ種類の情報に限られるものではなく、異なる種類の情報であってもよい。例えば、内部環境情報取得部１１ａによって取得される所定の環境情報が、温度であり、外部環境情報取得部１１ｂによって取得される所定の環境情報が、照度である場合があげられる。
【００６２】
（物理負荷情報取得部１１ｃ）
物理負荷情報取得部１１ｃは、損傷要因情報として、バッテリ１０に印加された物理負荷の情報である物理負荷情報を取得する。
図１および図２Ａに示すように、物理負荷情報取得部１１ｃは、加速度センサ５０、振動センサ５１、歪みセンサ５２、および衝撃センサ５３を備えている。物理負荷情報には、加速度センサ５０、振動センサ５１、歪みセンサ５２、および衝撃センサ５３による各検出値が含まれる。
【００６３】
なお、物理負荷情報取得部１１ｃは、上述した複数の種類のセンサの全てを含んでいなくてもよく、いずれか一つの種類のセンサを備えていればよい。
図２Ａでは、物理負荷情報取得部１１ｃの加速度センサ５０が、バッテリ１０のケース１７内の一隅に配置されている。加速度センサ５０は、バッテリ１０の内側または外側（ケース１７の外側面など）のどこに配置されてもよい。
【００６４】
物理負荷情報取得部１１ｃが加速度センサ５０を有する場合には、バッテリ１０の加速度情報が取得される。そのため、取得された加速度情報に基づいて、バッテリ１０にどのような加速度が印加されたのかが分かるので、バッテリの損傷度や使用状態を判定することができる。また、加速度センサ５０によれば、例えば、バッテリ１０がどの方向から落下したか等の情報を検出することができる。
振動センサ５１は、図２Ａに示すように、ケース１７内に配置されているが、加速度センサ５０と同様に、バッテリ１０の内側または外側（ケース１７の外側面等）のどこに配置されてもよい。振動センサ５１は、バッテリ１０にどのような振動（振動情報）が負荷されたかを検出するため、バッテリ１０の損傷度や使用状態を判定することが出来る。
【００６５】
歪みセンサ５２は、図２Ａに示すように、例えばケース１７の内壁に設けられており、ケース１７に加えられた物理負荷によるケース１７の歪み情報を検出する。歪みセンサ５２は、バッテリ１０にどのような衝撃等が負荷されたかを検出するため、バッテリ１０の損傷度や使用状態を判定することが出来る。歪みセンサ５２としては例えば歪みゲージを用いることができる。また、歪みセンサ５２は、ケース１７の各面の全てに配置されていてもよく、これにより、どの面に負荷が加えられたか等の情報（例えば、どの面に衝撃が加わったか、どの面から落下したか等の情報）を検出することが出来る。なお、歪みセンサ５２は、ケース１７の内面または外面のどちらに設けられていてもよい。また、セル１２を囲むセル格納ケース１８およびケース１７の双方に歪みセンサ５２を設けることにより、衝撃が内側まで届いたか否かを判別でき、より詳細に損傷度を判断することができる。さらに、バッテリ１０内の電子基板を格納する電子基板格納ケース１９に歪みセンサ５２を設けた場合には、電子基板１６ａに衝撃が届いたのかを判定することができる。
【００６６】
衝撃センサ５３は、図２Ａに示すように、ケース１７内に配置されているが、加速度センサ５０と同様に、バッテリ１０の内側または外側（ケース１７の外側面等）のどこに配置されてもよい。衝撃センサ５３は、バッテリ１０に負荷された衝撃（衝撃情報）を検出するため、バッテリ１０の損傷度や使用状態を判定することが出来る。
なお、物理負荷情報取得部１１ｃは、圧力センサ５４、傾きセンサ５５、位置センサ５６および速度センサ５７のうち少なくとも一つを備えていてもよい。
【００６７】
図２Ｄは、圧力センサ５４、傾きセンサ５５、位置センサ５６および速度センサ５７の配置例を示す図である。
図２Ｄに示すように、圧力センサ５４は、ケース１７の外側に配置されており、バッテリ１０に負荷された圧力を検出できる。このようにバッテリにどのような圧力（圧力情報）が負荷されたかが分かるため、バッテリ１０の損傷度や使用状態を判定することが出来る。図２Ｄでは一箇所にのみ圧力センサ５４が配置されているが、バッテリ１０の複数の面に圧力センサ５４を配置することによって、例えば、どの面に衝撃が加わったか、どの面から落下したか等の情報を取得することができる。
【００６８】
また、圧力センサ５４の一例として気圧センサが用いられてもよい。図２Ｄに示すように気圧センサ５４１をケース１７のセル格納ケース１８内に設けることにより、密閉容器であるケース１７が破損した場合に、微小な破損を検知することができる。
図２Ｄに示すように、傾きセンサ５５は、ケース１７の内側に配置されており、貸し出し中におけるバッテリ１０の傾き（傾き情報）を検出する。これによって、貸し立ち中におけるバッテリ１０の配置姿勢に関する情報を取得することができる。
【００６９】
位置センサ５６は、図２Ｄでは、ケース１７の内側に配置されており、バッテリ１０の高さ方向の位置（位置情報）を検出する。このように高さ方向の位置を検出することにより、速度、加速度を算出することが出来る。
速度センサ５７は、図２Ｄに示すように、ケース１７の内側に配置されており、バッテリ１０の速度（速度情報）を検出する。バッテリ１０の移動速度から加速度情報を算出することが出来る。
【００７０】
（損傷要因の例）
図３の（ａ）（ｂ）〜図５の（ａ）（ｂ）を用いて、バッテリ１０の損傷要因の例を説明する。
図３の（ａ）（ｂ）は、バッテリ１０の内部環境を変化させることによってバッテリ１０を損傷させる損傷要因の例を示す。図３の（ａ）において、バッテリ１０に加わる電磁波（電子負荷）が損傷要因であり、図３の（ｂ）において、バッテリ１０の内部に浸入した水分（水濡れ）が損傷要因である。図３の（ａ）に示すように、バッテリ１０に電磁波が照射された場合、バッテリ１０のＣＰＵ１６が誤動作し、バッテリ１０の内部が損傷する可能性がある。また、図３の（ｂ）に示すように、バッテリ１０が水没した場合、バッテリ１０の内部に水分が浸透することによって、バッテリ１０の内部では結露が生じ易くなる。結露によって発生した水滴は、バッテリ１０のＣＰＵ１６を誤動作させるので、バッテリ１０が損傷する要因になる。
【００７１】
図４の（ａ）（ｂ）は、バッテリ１０の外部環境を変化させることによってバッテリ１０を損傷させる損傷要因の例を示す。図４の（ａ）において、屋外等に放置されたバッテリ１０に対して照射される直射日光（熱負荷）が損傷要因である。バッテリ１０に直射日光が照射された場合、バッテリ１０の温度が上昇する。また、図４の（ｂ）において、バッテリ１０に加わる高熱（熱負荷）が損傷要因である。バッテリ１０が高熱にさらされた場合、バッテリ１０の温度は上昇する。バッテリ１０が高温である状態が長期間にわたって持続した場合、バッテリ１０が損傷する可能性がある。
【００７２】
図５の（ａ）（ｂ）は、損傷要因としての物理負荷の例を示す。図５の（ａ）（ｂ）において、バッテリ１０に加わる衝撃（物理負荷）が損傷要因である。図５の（ａ）に示すように、システム１の利用者が、バッテリ１０を落下させた場合、バッテリ１０と地面とが衝突することによって、バッテリ１０には強い衝撃が加わる。また、図５の（ｂ）に示すように、バッテリ１０を搭載した車両と、他の車両とが衝突した場合にも、バッテリ１０には、間接的に強い衝撃（物理負荷）が加わる。このように大きな衝撃がバッテリ１０に加わった場合、バッテリ１０の内部（主に、構造部、およびそれを支持する支持材など）が剥離または破損する可能性がある。
【００７３】
（セル１２、ＣＰＵ１６）
セル１２は、二次電池のセルである。図２Ａ〜図２Ｄに示すように、バッテリ１０は、複数のセル１２を備えている。各セル１２は、バッテリ１０の外部から供給される電力によって蓄電され、蓄電された電力を放電することができる。セル１２の充電と放電との切り換えは、ＣＰＵ１６によって制御される。
【００７４】
（情報出力部１３、情報蓄積部１４）
情報蓄積部１４は、損傷要因情報取得部１１から入力された損傷要因情報を、記憶部１５に記憶する。また、情報蓄積部１４は、記憶部１５に蓄積された損傷要因情報を、情報出力部１３に出力する。情報出力部１３は、情報蓄積部１４から入力された損傷要因情報を、出力情報として、バッテリ管理装置２０の出力情報取得部２１１（バッテリ環境情報取得部）へ出力する。
【００７５】
（記憶部１５）
記憶部１５には、情報蓄積部１４によって、損傷要因情報が記憶される。損傷要因情報には、内部環境情報取得部１１ａが取得した内部環境情報、外部環境情報取得部１１ｂが取得した外部環境情報、および、物理負荷情報取得部１１ｃが取得した物理負荷情報が含まれる。
【００７６】
（バッテリ管理装置２０）
図１に示すように、バッテリ管理装置２０は、制御部２１（情報処理装置）および表示部２２を備えている。制御部２１は、出力情報取得部２１１、損傷算出部２１２、および使用可否判定部２１３を備えている。制御部２１の各部は、バッテリ１０から出力される出力情報（すなわち損傷要因情報）を用いて、バッテリ１０の損傷度を算出し、バッテリ１０の使用を継続することができるか否かを判定する使用可否判定処理を実行する。そして、制御部２１は、使用可否判定処理における判定結果を、表示部２２に表示する。一変形例では、制御部２１は、使用可否判定処理における判定結果を、表示以外の手段でユーザに提示してもよい。なお、使用可否判定処理の詳細については後述する。また、損傷算出部２１２および使用可否判定部２１３は、環境情報分析部の一例に対応する。
【００７７】
（出力情報取得部２１１）
出力情報取得部２１１は、バッテリ１０の情報出力部１３から、出力情報を取得する。出力情報取得部２１１が取得する出力情報は、バッテリ１０の損傷要因情報取得部１１が取得した損傷要因情報であり、内部環境情報、外部環境情報、および物理負荷情報が含まれる。出力情報取得部２１１は、取得した出力情報を、損傷算出部２１２に出力する。
【００７８】
（損傷算出部２１２）
損傷算出部２１２は、出力情報取得部２１１から入力された出力情報を用いて、以下で説明する４種類の損傷度（物理負荷損傷度、温度負荷損傷度、電子負荷損傷度、水濡れ損傷度）を算出する。そして、算出した損傷度に関する情報を、使用可否判定部２１３に出力する。図１に示すように、損傷算出部２１２は、水濡れ損傷算出部２１２ａ、電子負荷損傷算出部２１２ｂ、温度負荷損傷算出部２１２ｃ、および物理負荷損傷算出部２１２ｄを含んでいる。なお、一変形例において、損傷算出部２１２は、バッテリ１０の使用状態を示す度数であれば、損傷度以外の度数を算出してもよい。
【００７９】
（水濡れ損傷算出部２１２ａ）
水濡れ損傷算出部２１２ａは、水濡れ（図３の（ｂ）参照）によるバッテリ１０の損傷度である水濡れ損傷度を算出する。そのために、水濡れ損傷算出部２１２ａは、出力情報から、内部環境情報を抽出する。前述したように、内部環境情報には、ケース内温度センサ３０、セル外温度センサ３１、水没センサ３２、および電磁波センサ３３による各検出値が含まれる。水濡れ損傷算出部２１２ａは、水没センサ３２による検出値を用いて、バッテリ１０の水濡れ損傷度を算出する。あるいは、内部環境情報取得部１１ａが湿度センサ３４を備えている場合、水濡れ損傷算出部２１２ａは、湿度センサ３４の検出値を用いて、バッテリ１０の水濡れ損傷度を算出することもできる。
【００８０】
例えば、水濡れ損傷度は、バッテリ１０のＣＰＵ１６の誤動作の頻度に対応していてもよい。この場合、水没センサ３２の検出値と、バッテリ１０のＣＰＵ１６の誤動作の頻度との相関関係（数式モデル）が、実験によって予め学習される。そして、水濡れ損傷算出部２１２ａは、学習された相関関係に基づいて、水没センサ３２の検出値から、水濡れ損傷度（＝水濡れによる誤動作の頻度）を算出する。
【００８１】
（電子負荷損傷算出部２１２ｂ）
電子負荷損傷算出部２１２ｂは、電子負荷（図３の（ａ）参照）によるバッテリ１０の損傷度である電子負荷損傷度を算出する。電子負荷には、バッテリ１０に照射される電波、磁気、および電磁波が含まれる。電子負荷損傷算出部２１２ｂは、出力情報から、内部環境情報を抽出する。電子負荷損傷算出部２１２ｂは、内部環境情報取得部１１ａの電磁波センサ３３による検出値を用いて、電子負荷損傷度を算出する。あるいは、内部環境情報取得部１１ａが磁気センサ３８および電波センサ３９を備えている場合、電子負荷損傷算出部２１２ｂは、磁気センサ３８の検出値、電波センサ３９の検出値、またはその組合せを用いて、バッテリ１０の電子負荷損傷度を算出することもできる。
【００８２】
例えば、電子負荷損傷度が、バッテリ１０のＣＰＵ１６の誤動作の頻度に対応している場合、電磁波センサ３３の検出値と、バッテリ１０のＣＰＵ１６の誤動作の発生頻度との相関関係が、実験によって予め学習される。そして、電子負荷損傷算出部２１２ｂは、学習された相関関係に基づいて、電磁波センサ３３の検出値から、電子負荷損傷度（＝電子負荷による誤動作の頻度）を算出する。
【００８３】
（温度負荷損傷算出部２１２ｃ）
温度負荷損傷算出部２１２ｃは、セル１２の内部の温度（セル内温度）を用いて、温度負荷（図４の（ａ）（ｂ）参照）によるバッテリ１０の損傷度（温度負荷損傷度）を算出する。
例えば、温度負荷損傷度が、バッテリ１０のＣＰＵ１６の誤動作の頻度に対応している場合、セル内温度と、バッテリ１０のＣＰＵ１６の誤動作の発生頻度との相関関係が、実験によって予め学習される。そして、温度負荷損傷算出部２１２ｃは、学習された相関関係に基づいて、セル内温度から、温度負荷損傷度（＝温度負荷による誤動作の頻度）を算出する。
【００８４】
ここで、損傷要因情報取得部１１は、セル１２内に温度センサを備えていない（図２Ａ参照）ので、セル内温度を取得することができない。そこで、温度負荷損傷算出部２１２ｃは、出力情報から、外部環境情報および内部環境情報を抽出する。そして、温度負荷損傷算出部２１２ｃは、セル１２の周辺温度（すなわち、内部環境情報取得部１１ａのケース内温度センサ３０およびセル外温度センサ３１の各検出値、および、外部環境情報取得部１１ｂのケース外温度センサ４０の検出値）から、セル内温度を推定する。なお、具体的なセル内温度の推定方法の詳細については、後で説明する。
【００８５】
（物理負荷損傷算出部２１２ｄ）
物理負荷損傷算出部２１２ｄは、物理負荷（図５の（ａ）（ｂ）参照）によるバッテリ１０（主に、構造部）の損傷度（物理負荷損傷度）を算出する。そのために、物理負荷損傷算出部２１２ｄは、出力情報から、物理負荷情報を抽出する。物理負荷損傷算出部２１２ｄは、物理負荷情報取得部１１ｃの加速度センサ５０、振動センサ５１、歪みセンサ５２、および衝撃センサ５３による検出値を用いて、物理負荷損傷度を算出する。
【００８６】
例えば、物理負荷損傷度は、バッテリ１０の構造部および支持材等の損傷度に対応していてもよい。この場合、加速度センサ５０、振動センサ５１、歪みセンサ５２、および衝撃センサ５３による各検出値と、バッテリ１０の損傷度との相関関係が、実験によって予め学習される。そして、物理負荷損傷算出部２１２ｄは、学習された相関関係に基づいて、加速度センサ５０、振動センサ５１、歪みセンサ５２、および衝撃センサ５３の各検出値から、物理負荷損傷度（＝物理負荷による構造部および支持材等の損傷度）を算出する。
【００８７】
（使用可否判定部２１３）
使用可否判定部２１３は、損傷算出部２１２の各部によって算出された４種類の損傷度（水濡れ損傷度、電子負荷損傷度、温度負荷損傷度、物理負荷損傷度）が、それぞれ、閾値を超えるか否かを判定する。そして、少なくとも１種類の損傷度が閾値を超える場合、使用可否判定部２１３は、バッテリ１０の使用を継続することはできないと判定する。一方、４種類の損傷度が全て閾値以下である場合、使用可否判定部２１３は、バッテリ１０の使用を継続することができると判定する。なお、閾値は、損傷度の種類ごとに異なっていてもよい。
前記閾値は、損傷度と、損傷要因（電子負荷、水濡れ、電子負荷、物理負荷）との相関関係を示す実験データを用いて決定されてよい。なお、具体的な閾値の決定方法の詳細については、後で説明する。
【００８８】
（使用可否判定処理）
図６を用いて、制御部２１によって実行される使用可否判定処理の流れを説明する。図６は、使用可否判定処理の流れを示すフローチャートである。ただし、図６に示すＳ１０およびＳ２０は、制御部２１による使用可否判定処理の前段階として、バッテリ１０において実行される。
【００８９】
図６に示すように、使用可否判定処理では、損傷要因情報取得部１１が、損傷要因情報を取得し、情報蓄積部１４が、損傷要因情報を記憶部１５に記憶する（Ｓ１０）。
次に、情報出力部１３が、損傷要因情報を、出力情報として出力する（Ｓ２０）。出力情報取得部２１１は、情報出力部１３から出力された出力情報、すなわち損傷要因情報を取得する（Ｓ３０、環境情報取得ステップ）。
【００９０】
損傷算出部２１２の各部は、出力情報取得部２１１から取得した出力情報（損傷要因情報）を用いて、バッテリ１０の損傷度を算出する（Ｓ４０、環境情報分析ステップ、損傷度算出ステップ）。使用可否判定部２１３は、損傷算出部２１２によって算出されたバッテリ１０の損傷度が、閾値以下であるか否かを判定する（Ｓ５０、環境情報分析ステップ、使用可否判定ステップ）。より詳細には、使用可否判定部２１３は、損傷算出部２１２によって算出された４種類の損傷度の各々について、閾値以下であるか否かを判定する。
【００９１】
ここで、損傷算出部２１２は、温度負荷によるバッテリ１０の損傷度を算出する場合、Ｓ４０の前に、ケース外温度およびケース内温度を示す各出力情報を用いて、セル内温度を推定する（セル内温度推定ステップ）（「セル内温度の推定方法」参照）。そして、Ｓ４０において、損傷算出部２１２は、推定したセル内温度を用いて、温度負荷によるバッテリ１０の損傷度を算出する。
【００９２】
バッテリ１０の損傷度（４種類の損傷度のうち少なくとも一つ）が閾値以下ではない場合（Ｓ５０でＮＯ）、使用可否判定部２１３は、「バッテリ１０の使用を継続することはできない」旨を、表示部２２に表示する（Ｓ６０）。一方、バッテリ１０の損傷度が閾値以下である場合（Ｓ５０でＹＥＳ）、使用可否判定部２１３は、「バッテリ１０の使用を継続することができる」旨を、表示部２２に表示する（Ｓ７０）。以上で、使用可否判定処理は終了する。
【００９３】
（セル内温度の推定方法）
図７を用いて、温度負荷損傷算出部２１２ｃが、ケース外温度、ケース内温度、およびセル外温度を用いて、セル１２の内部の温度（セル内温度）をどのようにして算出するのかを説明する。図７は、温度負荷損傷算出部２１２ｃによるセル内温度の推定結果の一例を示す図である。ここでは、２つの場合、すなわち、ケース外温度がケース内温度およびセル外温度よりも高い場合と、ケース外温度がケース内温度およびセル外温度よりも低い場合とを考える。なお、２つの場合において、セル外温度は同じであるとする。また、ケース外温度は、ケース外温度センサ４０によって検出され、ケース内温度は、ケース内温度センサ３０によって検出され、セル外温度は、セル外温度センサ３１によって検出される。
【００９４】
ケース外温度は外気温に対応するので、ケース外温度がケース内温度およびセル外温度よりも高い場合、外気温はセル内温度よりも高いと考えられる。また、セル内温度は、セル外温度よりも、外気温の影響を受け難いと考えられる。従って、ケース外温度がケース内温度およびセル外温度よりも高い場合（図７では、外気温が高い場合）、セル内温度は、セル外温度よりも低いと考えられる。そこで、温度負荷損傷算出部２１２ｃは、図７に示すように、ケース外温度、ケース内温度、およびセル外温度を通る曲線を延長することによって、セル外温度よりも低いセル内温度を推定する。
【００９５】
一方、ケース外温度がケース内温度およびセル外温度よりも低い場合、セル１２の内部での発熱があることによって、セル内温度が外気温よりも高くなっていると考えられる。また、セル１２の内部での発熱がある場合、セル内温度は、セル外温度よりも高いと考えられる。従って、セル外温度がケース内温度およびケース外温度よりも低い場合（図７では、外気温が低い場合）、セル内温度は、セル外温度よりも高いと考えられる。そこで、温度負荷損傷算出部２１２ｃは、図７に示すように、ケース外温度、ケース内温度、およびセル外温度を通る曲線を延長することによって、セル外温度よりも高いセル内温度を推定する。
【００９６】
（閾値の決定方法）
図８および図９を用いて、使用可否判定部２１３が判定を行うために使用する閾値が、どのようにして決定されるのかを説明する。ここでは、損傷要因が、物理負荷（加速度、振動、歪み、衝撃）である場合について考える。実験的に閾値を決定するために、バッテリ１０に物理負荷が与えられるとともに、物理負荷情報取得部１１ｃの加速度センサ５０、振動センサ５１、歪みセンサ５２、および衝撃センサ５３から、それぞれ検出値が取得される。
【００９７】
図８は、物理負荷情報取得部１１ｃによって取得される検出値の一例を示す図である。図８に示すように、物理負荷情報取得部１１ｃは、バッテリ１０の加速度、振動、歪み、および衝撃の各検出値を取得する。物理負荷を与えられている期間中における検出値の最大値が、バッテリ１０の損傷要因であると特定される。その後、バッテリ１０の構造部および支持材等の損傷度から、バッテリ１０の損傷度が判定される。これにより、バッテリ１０の損傷要因（加速度の検出値）と損傷度との関係を示す一組の実験データが得られる。また、損傷度を判定されたバッテリ１０は、使用を継続することができないような損傷があるか否かをさらに判定される。
【００９８】
図９は、バッテリ１０の損傷要因（加速度の検出値）と損傷度との関係を示す実験データをプロットしたグラフである。図９に示す実験データには、使用を継続することができないような損傷があるバッテリ１０の実験データ（図８では、「使用不可」の実験データ）と、そのような損傷がないバッテリ１０の実験データ（図８では、「使用可能」の実験データ）とが含まれている。図９に示すように、加速度の閾値は、「使用不可」の実験データと「使用可能」の実験データとを区分するような値に決定される。損傷度の閾値は、加速度と損傷度との相関関係を用いて、加速度の閾値に対応する値に決定される。
【００９９】
（実施の形態２）
以下に、本発明にかかる実施の形態２におけるバッテリスワップシステム１００１（以下システム１００１と述べる）について説明する。
本実施の形態２のシステム１００１は、図１０に示すように、実施の形態１のシステム１と比較して使用状態判定部２１４（環境情報分析部）を備えている点が異なっている。そのため、本相違点を中心に説明する。尚、実施の形態１と同様の構成については同一の符号を付している。
【０１００】
図１０に示すバッテリスワップシステム１００１におけるバッテリ管理装置１０２０の制御部１０２１は、出力情報取得部２１１、損傷算出部２１２、および使用可否判定部２１３に加えて使用状態判定部２１４を更に有する。
バッテリ管理装置１０２０は、出力情報取得部２１１によって取得した物理負荷情報、外部環境情報、および内部環境情報に基づいて、バッテリ１０の使用状態を判定する。
【０１０１】
図１１は、本実施の形態２における使用状態判定処理（バッテリ管理方法）のフロー図である。図１１に示すフロー図は、Ｓ１０〜Ｓ３０までは、実施の形態１の図６と同様である。
Ｓ３０において取得した出力情報を用いて、Ｓ４０（使用状態判定ステップ、環境情報分析ステップ）において、使用状態判定部２１４は、貸し出し中のバッテリ１０の使用状態を判定する。ここで、使用状態の判定とは、例えば、使用者が正しい使用をしているか否か、若しくは、使用者の使用は正しいが環境起因による損傷要因が負荷されているか、若しくは、使用者の使用によって損傷要因が負荷されたか等について判定する。具体的には、使用者が日向にバッテリ１０を置いたことによって損傷要因が負荷されたことや、気温が想定していない温度まで上昇したことによってバッテリ１０に損傷要因が負荷されたということについて判定することが出来る。また、使用状態判定部２１４は、損傷算出部２１２によって算出された使用状態を示す度数にも基づいて使用状態の判定をしてもよい。
【０１０２】
次に、Ｓ５０において、表示部２２によって、判定された使用状態が表示される。なお、表示に限らなくても良く、バッテリ管理装置１０２０が通信部を有し、判定した使用状態を使用者の携帯情報端末（スマートフォン、タブレット等）に通知してもよい。例えば、使用状態判定部２１４が、使用者によって損傷が発生したと判定した場合には、使用者の携帯情報端末に警告などを通知してもよい。
【０１０３】
（使用状態の判定例１）
図２Ａに示すように、バッテリ１０のケース１７の外側に日照センサ４１が配置され、ケース１７の内側にケース内温度センサ３０が配置されている構成を例に挙げて説明する。
使用状態判定部２１４は、日照センサ４１からの検出値とケース内温度センサ３０からの検出値に基づいて、温度情報の原因の切り分けを行う。具体的には、使用状態判定部２１４は、ケース内温度センサ３０の値が上昇した場合、日照センサ４１の検出値に基づいて、ケース１７内の温度上昇が「バッテリ１０が日向に置かれたことが原因」なのか、「気温上昇が原因」なのかを切り分けることが出来る。
【０１０４】
使用状態判定部２１４は、温度上昇が「日向に置かれたことが原因」である場合には、表示部２２に警告の表示を行う。また、バッテリ管理装置１０２０が通信部を備えており、バッテリ１０の使用者の携帯情報端末（スマートホン、タブレット等）に警告を通知してもよい。
一方、使用状態判定部２１４は、温度情報が「気温上昇が原因」である場合には、使用者側の対策では限界があるため、使用者に表示または通知を行わない。
【０１０５】
なお、使用状態判定部２１４は、損傷算出部２１２によって算出された使用状態を示す度数にも基づいて、使用状態の判定をするとは、例えば、日照時間を度数に変換して損傷度を算出し、日照時間による損傷度が所定時間以上の場合、使用者による原因と判定することができる。
また、ケース１７の内部の温度センサとして、ケース内温度センサ３０だけでなく、セル外温度センサ３１が更に設けられていてもよい。すなわち、ケース１７の外部と内部で異種のセンサが設けられており、ケース１７の内部において複数の同種のセンサが設けられていてもよい。
【０１０６】
（使用状態の判定例２）
図２Ａに示すように、電子基板格納ケース１９に水没センサ３２（第２水没センサ）が配置され、更にセル格納ケース１８に水没センサ３２（第１水没センサ）が配置されている構成を例に挙げて説明する。
使用状態判定部２１４は、バッテリ１０内のどの領域が水没したのかを判定し、浸水範囲の見極めを行うことが出来る。例えば、電子基板格納ケース１９が浸水し、セル格納ケース１８に浸水していない場合には、電子基板１６ａの交換が行われるが、セル１２部分は確認して再使用できる可能性が高い。一方、セル格納ケース１８に浸水している場合には、セル１２部分を取り替える必要が生じる。
【０１０７】
このように、使用状態判定部２１４によって、修理交換の際に役立つ水没の状態判定を行うことができる。なお、セル格納ケース１８の外側であってケース１７の内側にも水没センサ３２が配置されていてもよい。
また、複数の水没センサ３２を取り付けた場合には、ケース１７内への浸水、電子基板格納ケース１９内への浸水およびセル格納ケース１８内への浸水としてそれぞれに損傷度の値を設定し、損傷度が算出されてもよい。
【０１０８】
〔ソフトウェアによる実現例〕
バッテリ管理装置２０、１０２０の制御ブロック（特に出力情報取得部２１１、損傷算出部２１２、使用可否判定部２１３、および使用状態判定部２１４）は、集積回路（ＩＣチップ）等に形成された論理回路（ハードウェア）によって実現してもよいし、ＣＰＵ（Central Processing Unit）を用いてソフトウェアによって実現してもよい。
【０１０９】
後者の場合、バッテリ管理装置２０、１０２０は、各機能を実現するソフトウェアであるプログラムの命令を実行するＣＰＵ、前記プログラムおよび各種データがコンピュータ（またはＣＰＵ）で読み取り可能に記録されたＲＯＭ（Read Only Memory）または記憶装置（これらを「記録媒体」と称する）、前記プログラムを展開するＲＡＭ（Random Access Memory）などを備えている。そして、コンピュータ（またはＣＰＵ）が前記プログラムを前記記録媒体から読み取って実行することにより、本発明の目的が達成される。前記記録媒体としては、「一時的でない有形の媒体」、例えば、テープ、ディスク、カード、半導体メモリ、プログラマブルな論理回路などを用いることができる。また、前記プログラムは、該プログラムを伝送可能な任意の伝送媒体（通信ネットワークや放送波等）を介して前記コンピュータに供給されてもよい。なお、本発明は、前記プログラムが電子的な伝送によって具現化された、搬送波に埋め込まれたデータ信号の形態でも実現され得る。
【０１１０】
［他の実施形態］
以上、本発明の一実施形態について説明したが、本発明は上記実施形態に限定されるものではなく、発明の要旨を逸脱しない範囲で種々の変更が可能である。
（Ａ）
上記実施の形態のシステム１、１００１では、外部環境情報取得部１１ｂと内部環境情報取得部１１ａに加えて物理負荷情報取得部１１ｃが設けられているが、物理負荷情報取得部１１ｃが設けられていなくてもよい。
【０１１１】
図１２は、物理負荷情報１１１ｃが設けられていないバッテリスワップシステム２００１（以下システム２００１という）を示す図である。図１２に示すシステム２００１は、バッテリ２０１０とバッテリ管理装置２０２０を備えている。バッテリ２０１０の損傷要因情報取得部２０１１は、図１０に示すバッテリ１０１０の損傷要因情報取得部１１と比較して、物理負荷情報取得部１１ｃが設けられておらず、内部環境情報取得部１１ａおよび外部環境情報取得部１１ｂが設けられている。また、バッテリ管理装置２０２０の制御部２０２１に設けられている損傷算出部２２１２は、図１０に示すバッテリ管理装置１０２０の損傷算出部２１２と比較して、物理負荷損傷算出部２１２ｄが設けられておらず、水漏れ損傷算出部２１２ａ、電子負荷損傷算出部２１２ｂ、および温度負荷損傷算出部２１２ｃが設けられている。
【０１１２】
すなわち、システム２００１では、バッテリ２０１０のケース１７の内部の環境情報および外部の環境情報が、内部環境情報取得部１１ａおよび外部環境情報取得部１１ｂが有する各種センサによって取得されて記憶部１５に記憶される。そして、バッテリ管理装置２０２０は、記憶されている内部の環境情報および外部の環境情報を取得して損傷算出部２２１２において損傷度を算出して使用可否の判定を行う。また、バッテリ管理装置２０２０は、取得した内部の環境情報および外部の環境情報を用いて使用状態判定部２１４において使用状態の判定を行う。
【０１１３】
（Ｂ）
上記実施の形態のシステム１、１００１では、外部環境情報取得部１１ｂと内部環境情報取得部１１ａと物理負荷情報取得部１１ｃが設けられているが、外部環境情報取得部１１ｂと物理負荷情報取得部１１ｃが設けられていなくてもよい。このようなバッテリスワップシステム３００１（以下システム３００１という）が、図１３に示されている。システム３００１は、バッテリ３０１０と、図１２に示したバッテリ管理装置２０２０とを備えている。バッテリ３０１０は、損傷要因情報取得部として内部環境情報取得部１１ａを備えている。
【０１１４】
システム３００１では、バッテリ３０１０のケース１７の内部の環境情報が、内部環境情報取得部１１ａが有する各種センサによって取得されて記憶部１５に記憶される。そして、バッテリ管理装置２０２０は、記憶されている内部の環境情報を取得して損傷算出部２２１２において損傷度を算出して使用可否の判定を行う。また、バッテリ管理装置２０２０は、取得した内部の環境情報を用いて使用状態判定部２１４において使用状態の判定を行う。
【０１１５】
（Ｃ）
上記実施の形態のシステム１、１００１では、外部環境情報取得部１１ｂと内部環境情報取得部１１ａと物理負荷情報取得部１１ｃが設けられているが、内部環境情報取得部１１ａと物理負荷情報取得部１１ｃが設けられていなくてもよい。このようなバッテリスワップシステム４００１（以下システム４００１という）が、図１４に示されている。システム４００１は、バッテリ４０１０と、図１２に示したバッテリ管理装置２０２０とを備えている。バッテリ４０１０は、損傷要因情報取得部として外部環境情報取得部１１ｂを備えている。
【０１１６】
システム４００１では、バッテリ４０１０のケース１７の外部の環境情報が、外部環境情報取得部１１ｂが有する各種センサによって取得されて記憶部１５に記憶される。そして、バッテリ管理装置２０２０は、記憶されている外部の環境情報を取得して損傷算出部２２１２において損傷度を算出して使用可否の判定を行う。また、バッテリ管理装置２０２０は、取得した外部の環境情報を用いて使用状態判定部２１４において使用状態の判定を行う。
【０１１７】
（Ｄ）
上記実施の形態のシステム１、１００１では、損傷要因情報取得部１１によって取得された物理負荷情報、外部環境情報、および内部環境情報は、情報蓄積部１４を介して記憶部１５に記憶されているが、これに限られるものではない。例えば、図１５に示すバッテリスワップシステム５００１のバッテリ５０１０では、損傷要因情報取得部１１によって取得された物理負荷情報、外部環境情報、および内部環境情報は、通信部５０１７によってリアルタイムでバッテリ管理装置２０へと送信される。バッテリ管理装置２０における出力情報取得部２１１は、通信部５０１７と無線通信可能な構成となっている。バッテリ管理装置２０は、順次送信されている損傷要因情報について損傷度を算出する。
【０１１８】
なお、リアルタイムでなくてもよく、バッテリ５０１０に通信部５０１７とともに記憶部１５も設けられており、所定時間分を記憶部１５に記憶してから送信するような構成であってもよい。
また、図１５に示すバッテリスワップシステム５００１において、バッテリ管理装置２０の制御部２１（情報処理装置）は、クラウドコンピューティングシステム上の仮想サーバであってもよい。この場合、通信部５０１７からクラウドコンピューティングシステムに物理負荷情報、外部環境情報、および内部環境情報が送信される。そして、仮想サーバにおいて情報の分析が行われ、使用者は、クラウドコンピューティングシステムにアクセスすることにより、分析結果を得ることができる。
【０１１９】
（Ｅ）
本実施形態では、バッテリ１０とバッテリ管理装置２０とが、別体である構成を説明した。しかしながら、一変形例では、バッテリ１０（少なくとも、バッテリ１０の損傷要因情報取得部１１）と、バッテリ管理装置２０とが、バッテリ損傷度算出装置として、一体的に構成されていてもよい。本変形例に係るバッテリ損傷度算出装置は、バッテリ１０のケース１７（外側ケース）の外部において、所定の環境情報を取得する外部環境情報取得部１１ｂと、前記収容部の内部において、対応する環境情報を取得する内部環境情報取得部１１ａと、前記所定の環境情報および前記対応する環境情報を用いて、前記バッテリ１０の損傷度を算出する損傷算出部２１２とを備える。
【０１２０】
（Ｆ）
上記実施の形態のシステム１００１、２００１、３００１、４００１では、使用状態判定部２１４、損傷算出部２１２および使用可否判定部２１３を備えているが、損傷算出部２１２および使用可否判定部２１３が設けられていなくてもよい。この場合、使用状態の判定のみが行われる。
【０１２１】
（Ｇ）
上記実施の形態では特に述べていないが、バッテリ管理装置２０、１０２０、２０２０は、バッテリ１０の貸し出しを行うステーション、複数のステーションを統括するシステム等に設けられていても良い。また、バッテリ管理装置２０、１０２０、２０２０の表示部２２は、使用者のスマートホン、タブレット等の画面を利用してもよい。
【０１２２】
（Ｈ）
上記実施の形態１、２における図２Ａ〜図２Ｄで説明した各種センサの配置は、一例であり、各種センサの配置、数は適宜変更しても良い。
（Ｉ）
上記実施の形態では、複数のセルを格納するセル格納ケース１８と、電子基板１６ａを格納する電子基板格納ケース１９が設けられているが、どちらか一方または双方が設けられていなくてもよい。
【０１２３】
（Ｊ）
上記実施の形態１のバッテリ管理装置２０は、出力情報取得部２１１と、損傷算出部２１２と、使用可否判定部２１３とを備えているが、使用可否判定部２１３が設けられておらず、バッテリ損傷度算出装置として機能してもよい。
【０１２４】
（Ｋ）
上記実施の形態では、システム１、１００１、２００１、３００１、４００１、５００１において貸し出される複数のバッテリ１０、２０１０、３０１０、４０１０、５０１０が搭載される電力消費体の一例として電気自動車等の車両が例示されている。具体的には、車両としては、上記電気自動車（ＥＶ）、電動自動二輪車、電動一輪車、電動自動車、電動アシスト自転車、ＰＨＶ（Plug-in Hybrid Vehicle）等のモビリティが挙げられる。
【０１２５】
また、バッテリが搭載される電力消費体としては、モビリティに限らず、交換可能なバッテリによって駆動される他の電気製品であってもよい。
電気製品としては、例えば、バッテリからの電力によって機能する冷蔵庫、洗濯機、掃除機、炊飯器、湯沸しポット等の家電製品も含まれる。
さらに、バッテリが搭載される電力消費体として、電動工具を用いてもよい。
この場合には、貸し出し可能な複数のバッテリの充電を行うバッテリステーション等において、電動工具に使用されるバッテリを充電すればよい。
【産業上の利用可能性】
【０１２６】
本発明は、バッテリに利用することができる。
【符号の説明】
【０１２７】
１０    バッテリ
１１ａ  内部環境情報取得部
１１ｂ  外部環境情報取得部
１７    ケース（外側ケース）
２１    制御部（情報処理装置）
２１１  出力情報取得部（バッテリ環境情報取得部）
２１２  損傷算出部
【図１】
2016143400.tif 000003
【図２Ａ】
2016143400.tif 000004
【図２Ｂ】
2016143400.tif 000005
【図２Ｃ】
2016143400.tif 000006
【図２Ｄ】
2016143400.tif 000007
【図３】
2016143400.tif 000008
【図４】
2016143400.tif 000009
【図５】
2016143400.tif 000010
【図６】
2016143400.tif 000011
【図７】
2016143400.tif 000012
【図８】
2016143400.tif 000013
【図９】
2016143400.tif 000014
【図１０】
2016143400.tif 000015
【図１１】
2016143400.tif 000016
【図１２】
2016143400.tif 000017
【図１３】
2016143400.tif 000018
【図１４】
2016143400.tif 000019
【図１５】
2016143400.tif 000020
【国際調査報告】
2016143400.tif 000021
2016143400.tif 000022
2016143400.tif 000023
2016143400.tif 000024